(57)【要約】【課題】  ヘッドセット型とクレードル型の選択的なハンズフリー通話が可能なハンズフリー装置を提供する。【解決手段】  携帯電話５０と無線通信が可能なヘッドセット１０と、該ヘッドセットを収容可能なクレードル２０とでハンズフリー装置を構成する。このハンズフリー装置では、携帯電話５０とヘッドセット１０とが無線コネクション６０で接続されるため、携帯電話５０をカバンやポケットに入れたままの状態で、ヘッドセット１０によるハンズフリー通話と、クレードル２０によるハンズフリー通話の両シーンが選択できる。【選択図】  図１
2006020152.tif 000002
【特許請求の範囲】
【請求項１】
通話源との無線通信が可能なヘッドセットと、該ヘッドセットと接続可能なクレードルとを備えたハンズフリー装置であって、
前記クレードルは、前記ヘッドセットと接続可能なスピーカを備え、前記ヘッドセットを介して前記通話源と音声信号の交換を可能としたことを特徴とするハンズフリー装置。
【請求項２】
通話源との無線通信が可能なヘッドセットと、該ヘッドセットと接続可能なクレードルとを備えたハンズフリー装置であって、
前記クレードルは、前記ヘッドセットと接続可能なスピーカを備え、前記ヘッドセットとの間で有線通信または無線通信を行うことで、前記ヘッドセットを介した前記通話源とのハンズフリー通話を行うことを特徴とするハンズフリー装置。
【請求項３】
通話源との無線通信が可能なヘッドセットと、該ヘッドセットと接続可能なクレードルとを備えたハンズフリー装置であって、
前記クレードルは、前記ヘッドセットと接続可能なスピーカを備え、
前記ヘッドセットは、前記クレードルに接続された状態で、前記通話源と無線通信を行うとともに前記クレードルとは有線通信または無線通信を行い、前記クレードルから取り外された状態で、前記通話源と無線通信を行うとともに、前記クレードルとは通信を行わないことを特徴とするハンズフリー装置。
【請求項４】
前記ヘッドセットは、スピーカとマイクロホンとを備え、前記クレードルに接続された場合には、音声信号の出力を該スピーカから、前記クレードルに設けられたスピーカに切り替えることを特徴とする請求項３記載のハンズフリー装置。
【請求項５】
前記ヘッドセットは、スピーカとマイクロホンとを備え、前記クレードルに接続された場合には、音声信号の入出力を該スピーカとマイクロホンから、前記クレードルに設けられたスピーカとマイクロホンに切り替えることを特徴とする請求項３記載のハンズフリー装置。
【請求項６】
通話源との無線通信が可能なヘッドセットと、該ヘッドセットを収容可能なクレードルとを備えたハンズフリー装置であって、
前記クレードルは、前記ヘッドセットと接続可能なスピーカを備え、かつ、前記ヘッドセットを収容した状態で、前記通話源よりも重心が安定した構造を有することを特徴とするハンズフリー装置。
【請求項７】
通話源との無線通信が可能なヘッドセットと、該ヘッドセットを収容可能なクレードルとを備えたハンズフリー装置であって、
前記クレードルは、前記ヘッドセットと接続可能なスピーカを備え、かつ、振動吸収材を介して設置されることを特徴とするハンズフリー装置。
【請求項８】
通話源との無線通信が可能な複数のヘッドセットと、該各ヘッドセットと接続可能なクレードルとを備えたハンズフリー装置であって、
前記クレードルは、前記各ヘッドセットと接続可能なスピーカを備え、前記ヘッドセットを介して前記通話源と音声信号の交換を可能としたことを特徴とするハンズフリー装置。
【発明の詳細な説明】
【技術分野】
【０００１】
この発明は、ハンズフリー装置に関し、特に、ヘッドセット型と卓上型のハンズフリー通話を適宜選択可能なハンズフリー装置に関する。
【背景技術】
【０００２】
携帯電話のハンズフリー装置としては、下記の文献に記載されたものが知られている。
【特許文献１】特開２００２−２４７１７３号公報  この特許文献１には、携帯電話をスピーカとマイクロホンを備えた充電器にセットすることで、ハンズフリーを可能とした構成が示されている。
【０００３】
一方、ヘッドセット型のハンズフリー装置としては、下記の文献に記載されたものが知られている。
【特許文献２】特表平１０−５０９５７０号公報  この特許文献２には、ヘッドセットをスタンドに取り付けて、卓上マイクロホンとして使用可能とした構成が示されている。
【発明の開示】
【発明が解決しようとする課題】
【０００４】
しかし、上記特許文献１の構成では、ハンズフリー通話を行うために、携帯電話をカバンやポケットから取り出して充電器にセットする必要があり、また、他人に聞かれたくない内容の場合には、携帯電話で通話する必要があるため、ハンズフリー通話を維持することができなかった。特に、車内で使用する場合には、携帯電話を充電器にセットする構成では不必要に大きくなり、重心も安定しないため、車内での取付場所に制約を受けることになる。
【０００５】
また、上記特許文献２の構成では、通話源との接続が有線になるため煩わしさが残り、上記特許文献１と同様に、携帯電話をカバンやポケットに入れたままの通話はできなかった。
【０００６】
また、最近では、携帯電話とヘッドセットの無線通信を可能とした構成も知られているが、この構成では、ヘッドセットを常に耳に装着する必要があり、室内や車内では煩わしさが残る。この課題を解決するために、特許文献１に示された構成を取る場合には、携帯電話をカバンやポケットから取り出す必要がある。
【０００７】
そこで、本発明は、携帯電話等の通話源をスピーカ付充電器等の特定の機器にセットすることなく、ヘッドセット型と卓上型のハンズフリー通話を適宜選択可能なハンズフリー装置を提供する。
【課題を解決するための手段】
【０００８】
上記目的を達成するため、本発明の第１の手段は、通話源との無線通信が可能なヘッドセットと、該ヘッドセットと接続可能なクレードルとを備えたハンズフリー装置であって、前記クレードルは、前記ヘッドセットと接続可能なスピーカを備え、前記ヘッドセットを介して前記通話源と音声信号の交換を可能としたことを特徴とする。
【０００９】
ここで、通話源としては、携帯電話、固定式電話、公衆電話、ＩＰ電話等の各種電話機器や、ＰＣやＰＤＡ等のコンピュータ機器、ラジオやステレオ等のオーディオ機器等、音声信号を扱う各種機器が含まれる。
【００１０】
これらの通話源とヘッドセットには、双方向または一方向の無線通信による音声信号の交換が可能な無線通信回路が組み込まれ、この回路間で構築される無線通信コネクションを介して音声信号の送受信が行われる。ここで使用する無線通信規格としては、音声信号の交換に適し、かつ、他信号の影響を受けにくいブルートゥースが推奨される。
【００１１】
クレードルは、ヘッドセットが無線通信で得た通話源からの音声信号を再生し、自己に設けられたスピーカから音声を出力するとともに、自己に設けられたマイクロホンまたはヘッドセットのマイクロホンに入力された音声をヘッドセットを介して信号源に出力することで、通話源とのハンズフリー通話を可能としている。
【００１２】
上記構成によれば、ヘッドセットとクレードルのいずれを用いても、通話源とのハンズフリー通話を行うことができるため、例えば運転中に同乗者に聞かれたくない内容の場合には、ヘッドセットを用いてハンズフリー通話を行い、一人で運転中の場合は、ヘッドセットの煩わしさを避けてクレードルを介したハンズフリー通話を行うことができる。
【００１３】
また、クレードルと通話源との音声信号の交換は、ヘッドセットを介して行われるため、例えば、携帯電話をカバンやポケットに入れたままで、ヘッドセット型とクレードル型の選択的なハンズフリー通話が可能となる。
【００１４】
また、本発明の第２の手段は、通話源との無線通信が可能なヘッドセットと、該ヘッドセットと接続可能なクレードルとを備えたハンズフリー装置であって、前記クレードルは、前記ヘッドセットと接続可能なスピーカを備え、前記ヘッドセットとの間で有線通信または無線通信を行うことで、前記ヘッドセットを介した前記通話源とのハンズフリー通話を行うことを特徴とする。
【００１５】
このように、通話源とヘッドセットとは無線で接続し、ヘッドセットとクレードルとは有線で接続することで、無線通信で得られた音声信号を簡易な構成でクレードルから出力させることができる。尚、クレードル側に無線回路を設けた場合は、ヘッドセットとクレードルとの無線通信も可能となる。
【００１６】
また、本発明の第３の手段は、通話源との無線通信が可能なヘッドセットと、該ヘッドセットと接続可能なクレードルとを備えたハンズフリー装置であって、前記クレードルは、前記ヘッドセットと接続可能なスピーカを備え、前記ヘッドセットは、前記クレードルに接続された状態で、前記通話源と無線通信を行うとともに前記クレードルとは有線通信または無線通信を行い、前記クレードルから取り外された状態で、前記通話源と無線通信を行うとともに、前記クレードルとは通信を行わないことを特徴とする。
【００１７】
このように構成することで、ヘッドセットをクレードルに接続するか否かで、ヘッドセット型で通話するかクレードル型で通話するかを選択することが可能になる。
【００１８】
また、前記ヘッドセットは、スピーカとマイクロホンとを備え、前記クレードルに接続された場合には、音声信号の入出力を該スピーカとマイクロホンから前記クレードルに設けられたスピーカとマイクロホンに切り替える構成としても良い。
【００１９】
また、本発明の第４の手段は、通話源との無線通信が可能なヘッドセットと、該ヘッドセットを収容可能なクレードルとを備えたハンズフリー装置であって、前記クレードルは、前記ヘッドセットと接続可能なスピーカを備え、かつ、前記ヘッドセットを収容した状態で、前記通話源よりも重心が安定した構造を有することを特徴とする。
【００２０】
このように構成することで、携帯電話を直接クレードルに接続するよりも安定した設置が可能となり、特に、自動車等の移動体にクレードルを設置する場合に有効である。尚、本発明は、このような安定構造に拘わらず、クレードルを薄型や折りたたみ形式で構成し、鞄に入れて持ち運べるクレードルとしても良い。
【００２１】
また、本発明の第５の手段は、通話源との無線通信が可能なヘッドセットと、該ヘッドセットを収容可能なクレードルとを備えたハンズフリー装置であって、前記クレードルは、前記ヘッドセットと接続可能なスピーカを備え、かつ、振動吸収材を介して設置されることを特徴とする。
【００２２】
このように構成することで、自動車等の移動体から発生した振動がクレードルに伝わることを防止できるため、クレードル通話の音声品質を向上させることができる。
【００２３】
振動吸収材としては、例えば、ゴム製の吸盤等のクレードルとは弾性が異なる材質であって着脱可能な部材を選択しても良い。このように吸盤を使用すれば、メータパネル等の水平ではない部分にクレードルを取り付けることも可能となり、また、流線形のダッシュボードへ取り付けることも可能である。また、この振動吸収材は、流線形のダッシュボードにもフィッティングさせるために、伸縮自在な構造としても良い。
【００２４】
また、本発明の第８の手段は、通話源との無線通信が可能な複数のヘッドセットと、該各ヘッドセットと接続可能なクレードルとを備えたハンズフリー装置であって、前記クレードルは、前記各ヘッドセットと接続可能なスピーカを備え、前記ヘッドセットを介して前記通話源と音声信号の交換を可能としたことを特徴とする。
【００２５】
このように、一のクレードルを複数のヘッドセットと接続可能とすることで、複数の通話源からの信号をクレードルで選択出力する構成や、クレードルに接続されたヘッドセットの無線機能を利用して、複数のヘッドセット間での無線コミュニケーションを提供することが可能になる。
【発明の効果】
【００２６】
以上説明したように、本発明によれば、携帯電話等の通話源をスピーカ付充電器等の特定の機器にセットすることなく、ヘッドセット型とクレードル型の選択的なハンズフリー通話が可能になる。
【発明を実施するための最良の形態】
【００２７】
以下、本発明に係るハンズフリー装置を添付図面を参照して詳細に説明する。尚、本発明は、以下説明する実施形態に限らず適宜変更可能である。
【００２８】
図１は、本発明の第１の形態に係るハンズフリー装置の構成を示す斜視図である。同図に示すように、本ハンズフリー装置は、携帯電話５０と無線通信可能なワイヤレスヘッドセット１０と、このヘッドセットが収容可能なサウンドクレードル２０とで構成される。ここで、携帯電話５０とヘッドセット１０との間は、ワイヤレスコネクション６０による双方向通信が行われ、通信規格としては音声通信に適したブルートゥースが適用される。
【００２９】
このワイヤレスヘッドセット１０およびサウンドクレードル２０は、運転中等の携帯電話５０の使用が制約されるシーンで好適に利用される。例えば、同乗者がいる中で通話する場合は、ヘッドセット１０を耳に装着して通話し、一人で運転中の場合は、ヘッドセット１０をクレードル２０に装着した状態でのハンズフリー通話が可能である。
【００３０】
ここで、携帯電話５０とヘッドセット１０との間は無線通信が可能であるため、携帯電話５０をカバンやポケットに入れたままで、ヘッドセット１０を使用した通話と、クレードル２０を使用した通話のいずれのハンズフリー通話も行うことができる。
【００３１】
図２は、図１に示したヘッドセットの構成を示す斜視図である。同図に示すように、ヘッドセット１０は、各種回路を収容したヘッドセット本体１２と、スピーカを収容したイヤーパッド１６と、ヘッドセット用マイク１８と、耳に取り付ける際に使用されるイヤークリップ１９とで構成される。このヘッドセット１０は、耳にフィットする形状であって、かつ、クレードル２０に取り付けた際に重心が低くなる扁平形状であることが望ましい。
【００３２】
図３は、図１に示したクレードルの構成を示す斜視図である。同図に示すように、クレードル２０は、各種回路を収容したクレードル本体２２と、ヘッドセット１０を収容するためのヘッドセット収容部２３と、収容したヘッドセットの着脱を行う着脱スイッチ２４と、クレードル用マイクロホン２６と、クレードル用スピーカ２８とで構成される。このクレードル２０は、自動車等の振動体に取付けた際にも安定するよう低重心の扁平形状とすることが望ましく、また、振動体に固定する場合には３点支持とすることが望ましい。より望ましくは、ヘッドセット１０とクレードル２０の双方を扁平形状で構成し、ヘッドセット１０がクレードル２０に収容された際の重心が低くなる構成としておく。
【００３３】
ここで、本ハンズフリー装置のユーザがヘッドセット１０を用いて通話を行う場合には、図２に示したイヤーパッド１６内に設けられたスピーカと、ヘッドセット用マイク１８とを介して通話を行い、クレードル２０を用いて通話を行う場合には、図３に示したクレードル用マイクロホン２６と、クレードル用スピーカ２８とを介して通話を行う。
【００３４】
図４は、本発明の第２の形態に係るハンズフリー装置の構成を示す斜視図である。同図に示すように、ヘッドセット１０とクレードル２０は、前述の第１の形態のような扁平形状ではなく、ヘッドセット１０はアンテナ内蔵型の円形で構成し、クレードル２０は筒型形状で構成しても良い。
【００３５】
図５は、ヘッドセットおよびクレードルの内部回路構成を示すブロック図である。同図に示すように、ヘッドセット１０は、携帯電話との無線通信機能を提供するブルートゥース回路１００と、ブルートゥース回路の出力先を切り替えるスイッチＳＷと、ヘッドセットの電力源を提供するバッテリ１０２と、ブルートゥース回路１００から出力された信号に対してノイズキャンセラやイコライザ処理を行う音声処理回路１０４と、音声処理回路に処理された信号を増幅するオーディオアンプ１０６と、ユーザからの音声入力インターフェースとなるマイクロホン１０８と、ユーザに対する音声出力インターフェースとなるスピーカ１１０とで構成される。
【００３６】
クレードル２０は、ＡＣ電源から取得したＡＣ電力をＤＣ電力に変換して、自己の電力源を生成するとともに、ヘッドセットに充電機能を提供するＡＣ／ＤＣコンバータ２００と、ヘッドセット側に設けられたものと同様に機能を提供する音声処理回路２０４と、オーディオアンプ２０６と、マイクロホン２０８と、スピーカ２１０とで構成される。
【００３７】
上記のように構成されるヘッドセット１０がクレードル２０に接続されると、ヘッドセット１０側に設けられたスイッチＳＷがクレードル２０側に切り替えられ、ブルートゥース回路１００からの出力がクレードル側の音声処理回路２０４に入力される。同時に、ヘッドセット側に設けられたバッテリ１０２とクレードル側に設けられたＡＣ／ＤＣコンバータ２００とが接続されてバッテリ１０２の充電が開始される。
【００３８】
一方、ヘッドセット１０がクレードル２０から取り外されると、ヘッドセット１０側に設けられたスイッチＳＷがヘッドセット側に切り替えられ、ブルートゥース回路１００からの出力がヘッドセット側の音声処理回路１０４に入力され、バッテリ駆動によるヘッドセットの単体動作となる。
【００３９】
図６は、ヘッドセットおよびクレードルの他の回路構成例を示すブロック図である。同図に示すように、音声処理回路１０４とオーディオアンプ１０６とをヘッドセットとクレードルとで共用する構成とし、マイクロホンとスピーカへの出力ラインに切替スイッチＳＷをそれぞれ設けることで、図５と同様の機能を実現させても良い。この場合は、クレードル側に音声処理回路とオーディオアンプが不要になるため、クレードルの簡易化が実現できる。
【００４０】
また、最近のブルートゥースＩＣには、音声処理回路を備えたものも考案されており、このようなＩＣを使用することで、ブルートゥース回路１００と音声処理回路１０４とを一体化した構成を取っても良い。
【００４１】
図７は、ヘッドセット内部の部品配置例を示す分解平面図である。同図に示す例では、ヘッドセット１０の中心部にスピーカ１１０が配置され、該スピーカの右端部にブルートゥース回路１００と、アンテナ１４と、音声処理回路１０４と、オーディオアンプ１０６とが配置され、該スピーカの上端部にヘッドセットのモード切替スイッチ４２−１および４２−２とマイク端子４５とが配置され、該スピーカの左端部に外部スピーカ端子４４とバッテリへの電源供給端子となるバッテリ端子４６とが配置され、該スピーカの下端部に別のモード切替スイッチ４２−３が配置される。
【００４２】
図８は、クレードルの設置構造例を示した側面図である。同図に示すように、クレードル２０の底面に、伸縮自在でかつ振動を吸収する緩衝材７０−１〜７０−３を設け、これらの緩衝材を介して、自動車のダッシュボード７２にクレードル２０を固定設置すれば、運転中の振動ノイズが抑制された好適な車内ハンズフリー通話が実現できる。
【００４３】
さらに、ダッシュボード７２の形状が平坦でなくても、各緩衝材が固定面の高低差を吸収し、安定した設置を提供する。さらに、同図に示したような扁平型の薄型クレードル２０であれば、ダッシュボードやハンドル奥の平坦領域に取り付けても、視界を妨げることがないため、取付場所の選択領域が広がる。
【００４４】
図９は、クレードルの別の設置構造例を示した斜視図である。同図に示すクレードル２０は、固定部材としてゴム製の吸盤７１−１〜７１−３を備え、吸盤による着脱可能な３点支持を提供する。このように、吸盤固定であれば、さらに取付場所の選択領域を広げることが可能となり、例えば、メータパネルの側面やパネル板７３自体にクレードルを取り付けることができる。
【００４５】
図１０は、ヘッドセットのマイクロホンを利用したクレードル通話を可能とする構成例を示した斜視図である。同図に示すように、ヘッドセット１０がロッド状のマイクロホン１８を備えている場合には、クレードル２０側のマイクロホンを省略し、このロッド状のマイクロホンを利用して、ユーザからの音声取り込みを行い、クレードルからはスピーカ２８を利用した音声出力のみを行う構成としても良い。
【００４６】
図１１は、複数のヘッドセットを収容可能としたクレードルの構成例を示す平面図である。同各図に示すように、複数のヘッドセットを一のクレードルに収容可能な構成としてもよく、同図（ａ）は三角形状のクレードルに３つのヘッドセット１０−１〜１０−３を収容可能とした例であり、同図（ｂ）は、菱形のクレードルに２つのヘッドセット１０−１、１０−２を収容可能とした例であり、同図（ｃ）は、四角形のクレードルに４つのヘッドセット１０−１〜１０−４を収容可能とした例であり、同図（ｄ）は、円形のクレードルに４つのヘッドセット１０−１〜１０−４を収容可能とした例である。
【００４７】
このように一のクレードルに多数のヘッドセットを収容可能とする場合には、ヘッドセット収容部またはクレードルを回転可能とし、あらゆる角度からヘッドセットを取り出せる構成としておくことが望ましい。
【産業上の利用可能性】
【００４８】
本発明によれば、ヘッドセット型とクレードル型の選択的なハンズフリー通話が可能になるため、一人の場合と同乗者がいる場合との両シーンが想定される車載用ハンズフリーへの適用が期待される。
【図面の簡単な説明】
【００４９】
【図１】本発明の第１の形態に係るハンズフリー装置の構成を示す斜視図である。
【図２】図１に示したヘッドセットの構成を示す斜視図である。
【図３】図１に示したクレードルの構成を示す斜視図である。
【図４】本発明の第２の形態に係るハンズフリー装置の構成を示す斜視図である。
【図５】ヘッドセットおよびクレードルの内部回路構成を示すブロック図である。
【図６】ヘッドセットおよびクレードルの他の回路構成例を示すブロック図である。
【図７】ヘッドセット内部の部品配置例を示す分解平面図である。
【図８】クレードルの設置構造例を示した側面図である。
【図９】クレードルの別の設置構造例を示した斜視図である。
【図１０】ヘッドセットのマイクロホンを利用したクレードル通話を可能とする構成例を示した斜視図である。
【図１１】複数のヘッドセットを収容可能としたクレードルの構成例を示す平面図である。
【符号の説明】
【００５０】
１０…ワイヤレスヘッドセット、１２…ヘッドセット本体、１４…アンテナ、１６…イヤーパッド、１８…ヘッドセット用マイク、１９…イヤークリップ、２０…サウンドクレードル、２２…クレードル本体、２３…ヘッドセット収容部、２４…着脱スイッチ、２６…クレードル用マイクロホン、２８…クレードル用スピーカ、４２…モード切替スイッチ、４４…スピーカ端子、４５…マイク端子、４６…バッテリ端子、５０…携帯電話、６０…ワイヤレスコネクション、７０…緩衝材、７１…吸盤、７２…ダッシュボード、７３…パネル板、１００…ブルートゥース回路、１０２…バッテリ、１０４…音声処理回路、１０６…オーディオアンプ、１０８…マイクロホン、１１０…スピーカ、２００…ＡＣ／ＤＣコンバータ、２０４…音声処理回路、２０６…オーディオアンプ、２０８…マイクロホン、２１０…スピーカ
【図１】
2006020152.tif 000003
【図２】
2006020152.tif 000004
【図３】
2006020152.tif 000005
【図４】
2006020152.tif 000006
【図５】
2006020152.tif 000007
【図６】
2006020152.tif 000008
【図７】
2006020152.tif 000009
【図８】
2006020152.tif 000010
【図９】
2006020152.tif 000011
【図１０】
2006020152.tif 000012
【図１１】
2006020152.tif 000013